(57)【要約】【課題】着火した線香を容易に供えでき、カラスによる被害を防止できる香炉箱の提供を目的とする。【解決手段】墓石に設けられた香炉台に載置される香炉箱であって、香炉箱は、天板、左右の側板及び底板とからなるケース本体と、底板に沿って突没スライドするスライド板と、天板の前端部から下に向けて回動連結された扉とを備え、扉の上下方向の回動開閉に連動して前記スライド板が前後方向に突没することを特徴とする。【選択図】  図１
0003165903.tif 000002
【実用新案登録請求の範囲】
【請求項１】
墓石に設けられた香炉台に載置される香炉箱であって、
香炉箱は、天板、左右の側板及び底板とからなるケース本体と、
底板に沿って突没スライドするスライド板と、
天板の前端部から下に向けて回動連結された扉とを備え、
扉の上下方向の回動開閉に連動して前記スライド板が前後方向に突没することを特徴とする香炉箱。
【請求項２】
前記扉の回動中心から当該扉の開放端側に所定の距離を隔てた位置にワイヤーの一端を連結し、当該ワイヤーの他端をスライド板の後部側に連結してあり、
扉の上方への回動開きに連動して前記ワイヤーが前記スライド板を前方に突出させることを特徴とする請求項１記載の香炉箱。
【請求項３】
前記スライド板は没入方向に弾性付勢されていることを特徴とする請求項１又は２記載の香炉箱。
【請求項４】
前記スライド板は線香受けが着脱自在に載置可能になっていることを特徴とする請求項１〜３のいずれかに記載の香炉箱。
【考案の詳細な説明】
【技術分野】
【０００１】
本考案は、墓石の概ね中央部等に設けられた香炉台に載置し、主に線香を寝かせた状態で供え置く香炉箱に関する。
【背景技術】
【０００２】
お墓参りの際に墓前に線香を供えるのが一般的である。
お墓の種類や当地の習慣によっては、墓石の中央部に奥行きのある凹部状の石製香炉台に載置した線香受けに、着火した線香を横に寝かせて供える場合がある。
そのように線香をお供えした場合に線香は比較して長時間着火した状態にあり、人が墓前から立ち去った後も火が付いたままである。
近年、カラスがこの火が付いた状態の線香をくちばしにくわえて持ち去り、飛行の途中で落下させ、周囲の火災の原因となっている。
また、線香が燃えて、残った灰が風等で周囲に飛び散り、墓石を汚してしまう問題があり、
さらには、線香の火が消える前に、風等により可燃物がこの線香の上に乗り、火がつくと火災の原因になる恐れがあった。
【０００３】
前部に扉を設けた香炉箱としては特許文献１に開示するものが公知である。
しかし、同公報に開示する香炉箱は開閉扉の下端を収納器の底板の前縁部に蝶番連結したものである。
従って、線香立てに線香を供える際には、扉の上部に設けた把手をつまみ、下方向に回動し、扉を寝かせるように完全に開かないと中に線香を立てることができないものである。
また、扉を閉じる際には扉の上端部を上方に持ち上げるようにして回動しなければならず、扉の閉じた状態を維持するためには何らかのロック機構が必要となり、操作に手間がかかるものであった。
さらには、ロックが不充分であると自重にて不本意に扉が開き、そのまま放置される恐れがあった。
【先行技術文献】
【特許文献】
【０００４】
【特許文献１】特開２００４−２０８８０５号公報
【考案の開示】
【考案が解決しようとする課題】
【０００５】
本考案は、着火した線香を容易に供えることができ、カラスによる被害を防止できる香炉箱の提供を目的とする。
【課題を解決するための手段】
【０００６】
本考案に係る香炉箱は、墓石に設けられた香炉台に載置される香炉箱であって、香炉箱は、天板、左右の側板及び底板とからなるケース本体と、底板に沿って突没スライドするスライド板と、天板の前端部から下に向けて回動連結された扉とを備え、扉の上下方向の回動開閉に連動して前記スライド板が前後方向に突没することを特徴とする。
ここで、底板はスライド板を保持し、底板の上面に沿ってスライド板が前後方向に移動できるものであればレール状であってもよく、形状に限定はない。
【０００７】
本考案で扉とスライド板を連動させる手段は各種機構を採用することができるが、例えば、扉の回動中心から当該扉の開放端側に所定の距離を隔てた位置にワイヤーの一端を連結し、当該ワイヤーの他端をスライド板の後部側に連結してあり、扉の上方への回動開きに連動して前記ワイヤーが前記スライド板を前方に突出させるものであってもよい。
この場合にスライド板は没入方向に弾性付勢されていてもよい。
【０００８】
本考案はスライド板に直接、線香受け部を設けてもよいが、別に製作したケース皿状の線香受けを着脱自在に載置可能にすると、線香受けの清掃が容易になる。
【考案の効果】
【０００９】
本考案に係る香炉箱は一方の片手で扉のつまみを持って上方に扉を開き、他方の片手で着火した線香を寝かせるようにして線香受けに載置し、そのままつまみを離せば扉が閉じるので供えが容易であり、そのまま扉の自重にて閉じた状態が維持されるので、カラスが線香を持ち去るのを有効に防止する。
【図面の簡単な説明】
【００１０】
【図１】本考案に係る香炉箱の外観図を示す。
【図２】Ａ−Ａ線断面図を示す。
【図３】Ｂ−Ｂ線断面図を示す。
【図４】扉を開いた状態の斜視図を示す。
【図５】線香受けの外観斜視図を示す。
【図６】香炉箱の設置例を示す。
【考案を実施するための最良の形態】
【００１１】
本考案に係る香炉箱の構造例を以下、図面に基づいて説明する。
図１（ａ）は扉１２を閉じた状態を示し、（ｂ）は扉１２を上方に向けて回動し、開いた状態を示す。
図２はＡ−Ａ線断面図、図３はＢ−Ｂ線断面図に相当する部分の扉開閉前後を示す。
図４（ａ）は線香受け２０を取り出し扉１２を開き、スライド板１４が前方に突出した状態を示し、図４（ｂ）はワイヤー１５部の拡大図を示す。
図５は線香受け２０の例を示す。
【００１２】
本考案に係る香炉箱１０は、図６に示すように墓石１に設けられた奥行きのある香炉台２に載置して使用するのに好適であり、奥行き部の石製の天板３に扉が干渉しないように開閉する必要がある。
【００１３】
本考案に係る香炉箱１０は、図１〜４に示すように天板１１ａ、左右の側板１１ｂ，１１ｃ及び底板１１ｄにてケース本体１１を製作し、底板１１ｄが所定の高さになるように底板１１ｄの左右に足板１１ｅを取り付けた例になっている。
天板１１ａの前端部には蝶番等のヒンジ１３を用いて、扉１２が上方方向に回動自在に連結してある。
扉１２の前面の下部側にはつまみ１２ａを有し、このつまみ１２ａを手でつまみ、上方に開くと扉１２はヒンジ１３を回動中心にして上方に回動する。
扉１２の裏面に回動中心となるヒンジ１３よりも開放端側に所定の距離を隔てて、扉１２の左右に一対のワイヤー１５のそれぞれ一端を連結部１５ａで連結し、このワイヤー１５の他端をスライド板１４の後壁１４ｂの連結部１５ｂに連結してある。
これにより、扉１２を開くとワイヤー１５が引張られ、スライド板１４が前方に突出する。
本実施例の扉１２はパンチングによる孔１２ｂを多数設けた例になっている。
本実施例ではワイヤー１５がスムーズに移動するようにガイドピン１６とガイド孔１６ａを設け、スライド板１４が前方に移動しやすいようにワイヤーをガイドしている。
また、スライド板１４は後壁１４ｂに設けた貫通孔を介してガイドシャフト１７に沿って前後移動するようになっていて、ガイドシャフト１７の前端側はスプリング１８のストッパー１７ｂを有し、このストッパー１７ｂと後壁１４ｂとの間にガイドシャフトに沿ったスプリング１８を配したことにより、スライド板１４が後方に没入する方向に付勢されている。
従って、扉１２を閉じると、このスプリング１８によりスライド板１４が後方に移動する。
本実施例では、スライド板１４の没入位置を位置決めする後端ストッパー１７ａをケース本体の底板に設けた後方立設片１１ｆに取り付けた例になっている。
【００１４】
スライド板１４は図５に示したケース皿状の線香受け２０を着脱自在に載置できるように前壁１４ａと左右方向に位置決めするための立設片１４ｃを左右一対、設けた例になっている。
また、線香受け２０は箱状の受け皿２０ａの内側に金網２１を底面から浮き上がった状態に設置してある。
これにより、線香が燃え尽きた灰は金網の下に落下し、受け皿２０ａに溜まる。
また、左右に孔２２を設け、空気が通りやすくなっていて、必要に応じて左右に足部２３，２４を設ける。
線香受け２０をスライド板１４の上に載置する際に、この足部２３，２４の内側に左右の立設片１４ｃが位置するように、位置決めするとよい。
【符号の説明】
【００１５】
１        墓石
２        香炉台
１０      香炉箱
１１      ケース本体
１１ａ    天板
１１ｂ，１１ｃ    側板
１１ｄ    底板
１２      扉
１２ａ    つまみ
１３      ヒンジ
１４      スライド板
１４ａ    前壁
１４ｂ    後壁
１５      ワイヤー
１６      ガイドピン
１６ａ    ガイド孔
１７      ガイドシャフト
１８      スプリング
２０      線香受け
２１      金網
【図１】
0003165903.tif 000003
【図２】
0003165903.tif 000004
【図３】
0003165903.tif 000005
【図４】
0003165903.tif 000006
【図５】
0003165903.tif 000007
【図６】
0003165903.tif 000008